(57)【要約】【課題】  暗所であっても交換レンズを容易に装着することができるカメラを提供する。【解決手段】  交換レンズ４を着脱可能なカメラ側マウント部８と、前記カメラ側マウント部８から所定距離以内に前記交換レンズ４が存在するか否かを検出する検出部３８と、前記カメラ側マウント部８近傍、及び該カメラ側マウント部８から前記所定距離以内に存在する前記交換レンズ４の少なくとも一方を照明可能な照明部３０，３２と、前記検出部３８の検出結果に基づいて、前記照明部３０，３２による照明を制御する制御部３６とを備える。【選択図】  図１
2011099943.tif 000002
【特許請求の範囲】
【請求項１】
交換レンズを着脱可能なカメラ側マウント部と、
前記カメラ側マウント部から所定距離以内に前記交換レンズが存在するか否かを検出する検出部と、
前記カメラ側マウント部近傍、及び該カメラ側マウント部から前記所定距離以内に存在する前記交換レンズの少なくとも一方を照明可能な照明部と、
前記検出部の検出結果に基づいて、前記照明部による照明を制御する制御部と、
を備えることを特徴とするカメラ。
【請求項２】
前記制御部は、周囲環境の輝度を検出する輝度検出部の検出結果に基づいて、前記照明部による照明を制御することを特徴とする請求項１記載のカメラ。
【請求項３】
前記検出部は、赤外光を送光する送光部及び前記送光部により送光され前記交換レンズにより反射された前記赤外光を受光する受光部を有する赤外センサを備え、前記受光部により受光された前記赤外光に基づいて前記交換レンズが前記所定距離以内に存在するか否かを検出することを特徴とする請求項１または請求項２記載のカメラ。
【請求項４】
前記検出部は、前記交換レンズが有するレンズ側無線通信部と無線通信可能なカメラ側無線通信部を備え、前記カメラ側無線通信部による前記レンズ側無線通信部との無線通信に基づいて前記交換レンズが前記所定距離以内に存在するか否かを検出することを特徴とする請求項１または請求項２記載のカメラ。
【請求項５】
前記カメラ側マウント部の近傍に設けられ、前記交換レンズを当該カメラ側マウント部に装着する際の装着位置を示す指標部を更に有し、
前記照明部は、前記指標部を照明可能であり、
前記制御部は、前記照明部による前記指標部の照明を制御することを特徴とする請求項１〜請求項４の何れか一項に記載のカメラ。
【請求項６】
カメラに設けられたカメラ側マウント部に対して着脱可能なレンズ側マウント部を備えた交換レンズであって、
前記レンズ側マウント部から所定距離以内に前記カメラ側マウント部が存在するか否かを検出する検出部と、
前記レンズ側マウント部近傍、及び該レンズ側マウント部から前記所定距離以内に存在する前記カメラ側マウント部の少なくとも一方を照明可能な照明部と、
前記検出部の検出結果に基づいて、前記照明部による照明を制御する制御部と、
を備えることを特徴とする交換レンズ。
【請求項７】
前記制御部は、周囲環境の輝度を検出する輝度検出部の検出結果に基づいて、前記照明部による照明を制御することを特徴とする請求項６記載の交換レンズ。
【請求項８】
前記カメラが有するカメラ側無線通信部と無線通信可能なレンズ側無線通信部を備え、前記カメラ側無線通信部の前記レンズ側無線通信部に対する無線通信により前記カメラから電源の供給を受けることを特徴とする請求項６または請求項７記載の交換レンズ。
【発明の詳細な説明】
【技術分野】
【０００１】
本発明は、交換レンズを着脱可能なカメラ、及びカメラに対して着脱可能な交換レンズに関するものである。
【背景技術】
【０００２】
交換レンズを着脱可能なマウント部を備えたカメラであって、マウント部近傍を照明する照明部と、照明部による照明のオン・オフを行うスイッチを備え、交換レンズを装着する際に、スイッチを押下することにより照明部による照明をオンし、マウント部近傍を照明するカメラが提案されている（例えば、特許文献１参照）。
【先行技術文献】
【特許文献】
【０００３】
【特許文献１】特開平８−２２０５７号公報
【発明の概要】
【発明が解決しようとする課題】
【０００４】
ところで、上述の特許文献１記載のカメラにおいては、照明部による照明をオンするためにスイッチを押下する必要があるが、暗所にあってはスイッチの位置を探し出すのが困難な場合があった。
【０００５】
本発明の目的は、暗所であっても交換レンズを容易に装着することができるカメラ、及び暗所であってもカメラに対して容易に装着することができる交換レンズを提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明のカメラ（２）は、交換レンズ（４）を着脱可能なカメラ側マウント部（８）と、前記カメラ側マウント部（８）から所定距離以内に前記交換レンズ（４）が存在するか否かを検出する検出部（３８）と、前記カメラ側マウント部（８）近傍、及び該カメラ側マウント部（８）から前記所定距離以内に存在する前記交換レンズ（４）の少なくとも一方を照明可能な照明部（３０，３２）と、前記検出部（３８）の検出結果に基づいて、前記照明部（３０，３２）による照明を制御する制御部（３６）とを備えることを特徴とする。
【０００８】
また、本発明の交換レンズ（７０）は、カメラ（７２）に設けられたカメラ側マウント部（８）に対して着脱可能なレンズ側マウント部（１０）を備えた交換レンズ（７０）であって、前記レンズ側マウント部（１０）から所定距離以内に前記カメラ側マウント部（８）が存在するか否かを検出する検出部（７６）と、前記レンズ側マウント部（１０）近傍、及び該レンズ側マウント部（１０）から前記所定距離以内に存在する前記カメラ側マウント部（８）の少なくとも一方を照明可能な照明部（７４）と、前記検出部（７６）の検出結果に基づいて、前記照明部（７４）による照明を制御する制御部（４４）とを備えることを特徴とする。
【発明の効果】
【０００９】
本発明のカメラによれば、暗所であっても交換レンズを容易に装着することができる。また、本発明の交換レンズによれば、暗所であってもカメラに対して容易に装着することができる。
【図面の簡単な説明】
【００１０】
【図１】第１の実施の形態に係るカメラ及び交換レンズの構成を示す図である。
【図２】第１の実施の形態に係るカメラの構成を示す正面図である。
【図３】第１の実施の形態に係るカメラにおいて、カメラに対して交換レンズが装着される際の処理について説明するためのフローチャートである。
【図４】第２の実施の形態に係るカメラ及び撮影レンズの構成を示す図である。
【図５】第２の実施の形態に係るカメラの構成を示す正面図である。
【図６】第２の実施の形態に係るカメラにおいて、カメラに対して交換レンズが装着される際の処理について説明するためのフローチャートである。
【図７】第３の実施の形態に係る交換レンズ及びカメラの構成を示す図である。
【発明を実施するための形態】
【００１１】
以下、図面を参照して、本発明の第１の実施の形態に係るカメラについて説明する。図１は、第１の実施の形態に係るカメラ２及びカメラ２に装着される交換レンズ４の構成を示す図である。カメラ２の内部には、図１に示すように、ＣＣＤまたはＣＭＯＳ等により構成される撮像素子１２、後述する交換レンズ４のレンズユニット６と撮像素子１２との間の被写体光の光路中に配置される保護部材１４、及び保護部材１４と撮像素子１２との間の被写体光の光路中に配置される光学フィルタ１６が設けられている。レンズユニット６及び後述する交換レンズ４の絞り機構７を介した被写体光は、保護部材１４、光学フィルタ１６を通過して撮像素子１２の撮像センサ面１２ａにおいて結像し、撮像される。
【００１２】
撮像素子１２は、撮像素子固定板１８上に固着保持されており、撮像素子固定板１８は、カメラ２のカメラ筐体２０に固定されている。また、撮像素子１２及び光学フィルタ１６は、防塵部材２２及び弾性部材２４を介して、撮像素子部密封用ブロック２６により密閉保持されている。更に、保護部材１４はカメラ筐体２０に取り付けられており、撮像素子１２及び光学フィルタ１６は、撮像素子部密封用ブロック２６、保護部材１４、保護部材１４と撮像素子部密封用ブロック２２との間の防塵部材２８、及び撮像素子固定板１８により、カメラ２の内部において密封されている。
【００１３】
また、カメラ２の内部には、ＬＥＤ（発光ダイオード）等により構成され、後述するカメラマウント部８近傍を照明可能な照明光を射出する光源３０が設けられている。また、カメラ２は、光源３０から射出した照明光をカメラマウント部８近傍に導く導光部材３２を備えている。よって、光源３０から図中左方向に射出される照明光は、導光部材３２を透過することにより、カメラ２外に射出し、カメラマウント部８近傍を照明する。なお、光源３０の点灯及び消灯は、後述する制御部３６により制御されている。
【００１４】
また、カメラマウント部８上部には、交換レンズ４をカメラマウント部８に装着する際の装着位置を示す指標３４が設けられている。また、カメラ２は、ＣＰＵ等により構成され、カメラ２の各部を統括的に制御する制御部３６、カメラマウント部８下部に赤外センサ３８、カメラマウント部８上部に外光センサ４０、及びカメラマウント部８表面に交換レンズ４と電気的に接続する接点部４２を備えている。
【００１５】
図２は、第１の実施の形態に係るカメラ２の正面図である。図２に示すように、赤外センサ３８は、赤外光を送光する送光部３８ａと、送光部３８ａにより送光され、装着前の交換レンズ４により反射された赤外光を受光する受光部３８ｂとを備えている。送光部３８ａによる赤外光の送光は、制御部３６により制御されている。また、赤外センサ３８は、受光部３８ｂによる受光結果を制御部３６に対して出力する。
【００１６】
外光センサ４０は、カメラ２の周囲環境の輝度を検出し、検出結果を制御部３６に対して出力する。接点部４２は、図２に示すように、カメラ２と交換レンズ４との間で通信を行うための通信用接点部４２ａと、カメラ２から交換レンズ４へ電源を供給するための電源供給用接点部４２ｂとを備えている。制御部３６は、通信用接点部４２ａを介して後述する交換レンズ４のレンズ側制御部４４と通信し、電源供給用接点部４２ｂを介してカメラ２から交換レンズ４の各部へ電源を供給する。
【００１７】
交換レンズ４は、図１に示すように、レンズユニット６及び絞り機構７を備えており、カメラ２に設けられているカメラマウント部８に対して着脱可能に構成されている。また、交換レンズ４上部には、交換レンズ４をカメラマウント部８に装着する際の装着位置を示すレンズ側指標４３が設けられている。交換レンズ４をカメラ２に装着する際には、カメラ２の指標３４に交換レンズ４の指標４３を合わせて、交換レンズ４に設けられているレンズマウント部１０をカメラマウント部８中央のマウント開口部に差し込み、レンズマウント部１０をカメラマウント部８に締結させることによりカメラ２に交換レンズ４を固定させる。
【００１８】
また、交換レンズ４は、ＣＰＵ等により構成され、交換レンズ４の各部、特に絞り機構７の駆動を制御するレンズ側制御部４４、及びレンズマウント部１０表面にカメラ２と電気的に接続するレンズ側接点部４６を備えている。レンズ側接点部４６は、カメラ２の通信用接点部４２ａと接続し、カメラ２と交換レンズ４との間で通信を行うためのレンズ側通信用接点部（図示せず）と、カメラ２の電源供給用接点部４２ｂと接続し、カメラ２から電源の供給を受けるための電源受給用接点部（図示せず）とを備えている。
【００１９】
次に、図３に示すフローチャートを参照して、第１の実施の形態に係るカメラ２において、カメラ２に対して交換レンズ４が装着される際の処理について説明する。
【００２０】
まず、制御部３６は、赤外センサ３８に対して赤外光を送光するよう指示し、赤外センサ３８は、制御部３６からの指示に従い送光部３８ａから送光され、装着前の交換レンズ４により反射され、受光部３８ｂにより受光した赤外光を検出する。そして、赤外センサン３８は、検出結果を制御部３６に対して出力し、制御部３６は、赤外センサ３８からの検出結果を取得する（ステップＳ１０）。
【００２１】
次に、制御部３６は、ステップＳ１０において取得した赤外センサ３８からの検出結果、即ち赤外光の受光強度に基づいて、カメラマウント部８と交換レンズ４との距離を算出し、算出された距離が所定距離以内であるか否かを判別する（ステップＳ１１）。即ち、赤外光の受光強度が所定強度以上の場合にはカメラマウント部８から所定距離以内に交換レンズ４が存在すると判別し、赤外光の受光強度が所定強度より小さい場合にはカメラマウント部８から所定距離より離れた位置に交換レンズ４が存在すると判別する。
【００２２】
ステップＳ１１においてカメラマウント部８と交換レンズ４との間の距離が所定距離以内でないと判別された場合には（ステップＳ１１、Ｎｏ）、制御部３６は、ステップＳ１０の処理に戻り、ステップＳ１１においてカメラマウント部８と交換レンズ４との間の距離が所定距離以内であると判別されるまでステップＳ１０〜Ｓ１１の処理を繰り返す。一方、ステップＳ１１においてカメラマウント部８と交換レンズ４との間の距離が所定距離以内であると判別された場合には（ステップＳ１１、Ｙｅｓ）、制御部３６は、外光センサ４０からの検出結果、即ち周囲環境の輝度を取得する（ステップＳ１２）。
【００２３】
次に、制御部３６は、ステップＳ１２において取得した外光センサ４０からの検出結果に基づいて、周囲環境の輝度が所定量以下であるか否かを判別する（ステップＳ１３）。ステップＳ１３において周囲環境の輝度が所定量より多いと判別された場合には（ステップＳ１３、Ｎｏ）、制御部３６は、カメラ２の周囲がカメラ２等を視認することができる程度に明るいと判断し、図３に示すフローチャートにおける処理を終了する。即ち、交換レンズ４をカメラ２に装着するのに周囲を明るく照明する必要がないため、光源３０を点灯させることなく、交換レンズ４はカメラ２に装着される。
【００２４】
一方、ステップＳ１３において周囲環境の輝度が所定量以下であると判別された場合には（ステップＳ１３、Ｙｅｓ）、制御部３６は、カメラ２の周囲がカメラ２や交換レンズ４を視認するのに困難な程度に暗いと判断し、光源３０を点灯させる（ステップＳ１４）。光源３０の点灯により、カメラマウント部８近傍及びレンズマウント部１０近傍は、暗所であっても視認することができる程度に明るく照らされ、ユーザーは、交換レンズ４の装着を円滑に行うことができる。
【００２５】
次に、制御部３６は、交換レンズ４との通信が開始されたか否かを判別する（ステップＳ１５）。即ち、カメラマウント部８に交換レンズ４が完全に装着されることにより、通信用接点部４２ａとレンズ側接点部４６のレンズ側通信用接点部とが接続され、カメラ２と交換レンズ４との間で通信が開始されたか否かを判別する。ステップＳ１５において交換レンズ４との通信が開始されていないと判別された場合には（ステップＳ１５、Ｎｏ）、制御部３６は、カメラマウント部８への交換レンズ４の装着が終了していないと判断し、交換レンズ４との通信が開始されたと判別されるまで光源３０の点灯を継続する。一方、ステップＳ１５において交換レンズ４との通信が開始されたと判別された場合には（ステップＳ１５、Ｙｅｓ）、制御部３６は、カメラマウント部８への交換レンズ４の装着が終了したと判断し、光源３０を消灯させる（ステップＳ１６）。
【００２６】
第１の実施の形態に係るカメラ２によれば、交換レンズ４をカメラ２に装着する際、交換レンズ４がカメラ２に対して所定距離以内に存在し、カメラ２の周囲環境が暗所であると判別された場合には、自動で光源３０が点灯し、カメラマウント部８近傍及びレンズマウント部１０近傍を照明する。従って、暗所であっても交換レンズ４をカメラ２の容易に装着することができる。
【００２７】
なお、第１の実施の形態においては、カメラ２と交換レンズ４との距離を検出する手段として赤外センサ３８を備えているが、赤外センサ３８に代えて音波式センサまたは電磁波式センサを備えることもできる。音波式センサでは、赤外光の代わりに音波を送波及び受波し、交換レンズ４により反射された音波を検出することにより、カメラ２と交換レンズ４との距離を算出する。電磁波式センサでは、カメラ２に磁気を検出する磁気センサを設け、かつ交換レンズ４に磁石を設け、磁気センサにより検出される磁石の磁力に基づいて、カメラ２と交換レンズ４との距離を算出する。
【００２８】
次に、図面を参照して、本発明の第２の実施の形態に係るカメラについて説明する。図４は、第２の実施の形態に係るカメラ５０及びカメラ５０に装着される交換レンズ５２の構成を示す図である。なお、第２の実施の形態に係るカメラ５０及び交換レンズ５２においては、第１の実施の形態に係るカメラ２及び交換レンズ４の構成と同一の構成についての説明を省略し、同一の構成には同一の符号を用いて説明を行う。
【００２９】
図４に示すように、カメラ５０は、第１の実施の形態に係る指標３４（図１参照）に代えて、交換レンズ５２をカメラマウント部８に装着する際の装着位置を示す指標５６を備えている。また、カメラ５０は、第１の実施の形態に係る導光部材３２（図１参照）に代えて、光源３０から射出される照明光を透過させる窓部５４、及び光源３０から射出した照明光を窓部５４及び指標５６に導く導光部材５８を備えている。導光部材５８の窓部５４と接合する接合部５８ａには、導光部材５８に入射した照明光の一部を透過させ、他部を反射させる蒸着が施されている。よって、光源３０から図中左方向に射出し、導光部材５８に入射し、接合部５８ａを透過した照明光は、窓部５４を介してカメラ２外に射出し、カメラマウント部８近傍を照明する。また、接合部５８ａにより反射された照明光は、導光部材５８を介して指標５６を照明する。
【００３０】
図５は、第２の実施の形態に係るカメラ５０の正面図である。図４及び図５に示すように、カメラ５０は、第１の実施の形態に係る接点部４２（図１参照）に代えて、カメラ５０から交換レンズ５２へ電源を供給するための電源供給用接点部６０を備えている。また、交換レンズ５２は、第１の実施の形態に係るレンズ側接点部４６に代えて、カメラ５０から交換レンズ５２への電源供給を受けるための電源受給用接点部６６を備えている。カメラ５０に交換レンズ５２が装着されることにより、電源供給用接点部６０と電源受給用接点部６６とが接続され、制御部３６は、電源供給用接点部６０及び電源受給用接点部６６を介してカメラ５０から交換レンズ５２の各部に電源を供給する。
【００３１】
また、カメラ５０は、第１の実施の形態に係る赤外センサ３８（図１参照）に代えて、交換レンズ５２と無線通信するためのカメラ側無線通信装置６２を備えている。また、交換レンズ５２は、カメラ５０と無線通信するためのレンズ側無線通信装置６４を備えている。カメラ側無線通信装置６２は、カメラ側無線通信装置６２から発信される電波を捕捉することができる距離（所定距離）まで交換レンズ５２がカメラ５０に接近すると、レンズ側無線通信装置６４に対して無線通信によりカメラ５０から電源を供給する。レンズ側無線通信装置６４は、カメラ側無線通信装置６２を介してカメラ５０からの電源の供給を受けて起動し、カメラ側無線通信装置６２との無線通信を開始する。
【００３２】
次に、図６に示すフローチャートを参照して、第２の実施の形態に係るカメラ５０において、カメラ５０に対して交換レンズ５２が装着される際の処理について説明する。
【００３３】
まず、制御部３６は、カメラ側無線通信装置６２から発信される電波を捕捉することができる距離まで交換レンズ５２がカメラ５０に接近し、レンズ側無線通信装置６４がカメラ側無線通信装置６２を介してカメラ５０から電源の供給を受けて起動し、カメラ側無線通信装置６２とレンズ側無線通信装置６４とが通信を開始したか否かを判別する（ステップＳ２０）。即ち、カメラ側無線通信装置６２とレンズ側無線通信装置６４とが通信を開始した場合には交換レンズ５２がカメラ５０から所定距離以内に存在すると判断することができ、カメラ側無線通信装置６２とレンズ側無線通信装置６４とが通信を開始していない場合には交換レンズ５２がカメラ５０から所定距離以内に存在していないと判断することができる。ステップＳ２０においてカメラ側無線通信装置６２とレンズ側無線通信装置６４とが通信を開始していない場合には（ステップＳ２０、Ｎｏ）、制御部３６は、ステップＳ２０においてカメラ側無線通信装置６２とレンズ側無線通信装置６４とが通信を開始したと判別されるまでステップＳ２０の処理を繰り返す。
【００３４】
一方、ステップＳ２０においてカメラ側無線通信装置６２とレンズ側無線通信装置６４とが通信を開始した場合には（ステップＳ２０、Ｙｅｓ）、制御部３６は、外光センサ４０からの検出結果、即ち周囲環境の輝度を取得する（ステップＳ２１）。なお、ステップＳ２１〜Ｓ２３の処理は、図３のステップＳ１２〜Ｓ１４の処理と同一のため、説明を省略する。また、この実施の形態では、ステップＳ２３において光源３０を点灯させることにより、カメラマウント部８近傍及び指標５６が暗所であっても視認することができる程度に明るく照らされるため、ユーザーは、交換レンズ５２の装着位置を示す指標５６を容易に見出すことができ、かつ交換レンズ５２の装着を円滑に行うことができる。
【００３５】
次に、制御部３６は、交換レンズ５２から交換レンズ５２の装着完了を示す通知を受信したか否かを判別する（ステップＳ２４）。具体的には、まず、制御部３６は、カメラマウント部８に交換レンズ５２が完全に装着されると、電源供給用接点部６０と電源受給用接点部６６とが接続され、カメラ５０から交換レンズ５２の各部に電源を供給する。そして、制御部３６は、カメラ５０から電源の供給を受けて起動したレンズ側制御部４４により、レンズ側無線通信装置６４及びカメラ側無線通信装置６２を介して送信される交換レンズ５２の装着完了を示す通知を受信する。
【００３６】
ステップＳ２４において交換レンズ５２から交換レンズ５２の装着完了を示す通知を受信していない場合には（ステップＳ２４、Ｎｏ）、制御部３６は、カメラマウント部８への交換レンズ５２の装着が終了していないと判断し、交換レンズ５２から交換レンズ５２の装着完了を示す通知を受信するまで光源３０の点灯を継続する。一方、ステップＳ２４において交換レンズ５２から交換レンズ５２の装着完了を示す通知を受信した場合には（ステップＳ２４、Ｙｅｓ）、制御部３６は、カメラマウント部８への交換レンズ５２の装着が終了したと判断し、光源３０を消灯させる（ステップＳ２５）。
【００３７】
第２の実施の形態に係るカメラ５０によれば、第１の実施の形態における効果に加えて、指標５６を照明することができるため、交換レンズ５２をカメラ５０に装着する位置を容易に見出すことができる。また、制御部３６は、交換レンズ５２がカメラ５０に完全に装着されたことを認識した後に、光源３０を消灯するため、指標５６の照明も消える。したがって、ユーザーは、指標５６の照明の消灯を確認することにより、交換レンズ５２がカメラ５０に確実に装着されたことを確認することができる。
【００３８】
なお、第１及び第２の実施の形態においては、交換レンズの各部がカメラから電源の供給を受けて起動しているが、交換レンズが電源を有し、交換レンズの電源を用いて交換レンズの各部を起動させる構成にすることもできる。
【００３９】
また、第１及び第２の実施の形態においては、カメラが外光センサ４０を備え、外光センサ４０の検出結果に基づいて光源３０の点灯及び消灯を制御しているが、カメラ以外の装置（例えば、交換レンズ）に設けられた外光センサから無線通信等を用いて輝度情報を受信し、受信した輝度情報に基づいて光源３０の点灯及び消灯を制御することもできる。
【００４０】
次に、図面を参照して、本発明の第３の実施の形態に係る交換レンズについて説明する。図７は、第３の実施の形態に係る交換レンズ７０及び交換レンズ７０を装着するカメラ７２の構成を示す図である。なお、第３の実施の形態に係る交換レンズ７０及びカメラ７２においては、第１の実施の形態に係るカメラ２及び交換レンズ４の構成と同一の構成についての説明を省略し、同一の構成には同一の符号を用いて説明を行う。
【００４１】
交換レンズ７０は、図７に示すように、第１の実施の形態に係る交換レンズ４の構成（図１参照）に、光源７４、赤外センサ７６、外光センサ７８、及び電源８０を加えて構成されている。光源７４は、第１の実施の形態に係る光源３０（図１参照）と同様の構成を有し、光源７４から図中右方向に射出される照明光は、レンズマウント部１０近傍を照明する。なお、光源７４の点灯及び消灯は、レンズ側制御部４４により制御されている。
【００４２】
赤外センサ７６は、第１の実施の形態に係る赤外センサ７６（図１参照）と同様の構成を有し、送光部により送光され、装着前のカメラ７２により反射され、受光部により受光された赤外光の光強度をレンズ側制御部４４に対して出力する。外光センサ７８は、第１の実施の形態に係る外光センサ４０（図１参照）と同様の構成を有し、検出結果をレンズ側制御部４４に対して出力する。そして、交換レンズ７０の各部（レンズ側制御部４４、光源７４、赤外センサ７６、外光センサ７８等）は、電源８０から電源供給を受けて駆動する。カメラ７２は、図７に示すように、第１の実施の形態に係るカメラ２の構成（図１参照）から、光源３０、導光部材３２、赤外センサ３８、及び外光センサ４０を取り除いて構成されている。
【００４３】
次に、第３の実施の形態に係る交換レンズ７０において、カメラ７２に対して交換レンズ７０が装着される際の処理について説明する。
【００４４】
まず、レンズ側制御部４４は、図３のフローチャートに示す制御部３６の処理と同様に、赤外センサ７６から赤外光の受光強度を取得し、取得した受光強度に基づいてレンズマウント部１０とカメラ７２との距離を算出する。算出した距離が所定距離以内であり、かつ外光センサ７８から取得した周囲環境の輝度が所定量以下であった場合には、レンズ側制御部４４は、交換レンズ７０の周囲が交換レンズ７０やカメラ７２を視認するのに困難な程度に暗いと判断し、光源７４を点灯させる。そして、レンズ側制御部４４は、カメラ７２との通信が開始したことを認識したとき、交換レンズ７０がカメラ７２に完全に装着されたと判断し、光源７４を消灯させる。
【００４５】
第３の実施の形態に係る交換レンズ７０によれば、交換レンズ７０をカメラ７２に装着する際、交換レンズ７０がカメラ７２に対して所定距離以内に存在し、交換レンズ７０の周囲環境が暗所であると判別された場合には、自動で光源７４が点灯し、カメラマウント部８近傍及びレンズマウント部１０近傍を照明する。従って、暗所であっても交換レンズ７０をカメラ７２の容易に装着することができる。
【００４６】
なお、第３の実施の形態においては、交換レンズ７０とカメラ７２との距離を検出する手段として赤外センサ７６を備えているが、赤外センサ７６に代えて、交換レンズ及びカメラに無線通信装置を設け、レンズ側無線通信装置とカメラ側無線通信装置との通信に基づいて交換レンズ７０とカメラ７２との距離を検出することもできる。この場合には、電源８０から電源の供給を受けることによりレンズ側無線通信装置を起動させてもよく、または、第２の実施の形態と同様に、カメラ側無線通信装置の無線通信によりカメラから電源の供給を受けることによりレンズ側無線通信装置を起動させてもよい。
【００４７】
また、第３の実施の形態においては、交換レンズ７０が外光センサ７８を備え、外光センサ７８の検出結果に基づいて光源７４の点灯及び消灯を制御しているが、交換レンズ７０以外の装置（例えば、カメラ）に設けられた外光センサから無線通信等を用いて輝度情報を受信し、受信した輝度情報に基づいて光源７４の点灯及び消灯を制御することもできる。
【００４８】
また、上述の各実施の形態においては、交換レンズがカメラに完全に装着されたと判断された後に光源３０を消灯させているが、交換レンズのレンズマウント部１０をカメラマウント部８の中央のマウント開口部に差し込んだ時点で光源を消灯させてもよい。この場合には、カメラマウント部８（またはレンズマウント部１０）にカメラマウント部８（またはレンズマウント部１０）の面に対して出没可能な突起部を設け、制御部３６（またはレンズ側制御部４４）は、突起部がカメラマウント部８（またはレンズマウント部１０）の面に対して埋没したか否かを検出する。そして、埋没したことを検出したとき、レンズマウント部１０がマウント開口部に差し込まれたと判断し、光源を消灯させる。このように、交換レンズがカメラに差し込まれた後、交換レンズをカメラに締結（固定）させる作業は明所でなくても行うことができるため、光源を消灯させることにより点灯に要する電力を節約することができる。
【符号の説明】
【００４９】
２，５０，７２…カメラ、４，５２，７０…交換レンズ、６…レンズユニット、８…カメラマウント部、１０…レンズマウント部、１２…撮像素子、１４…保護部材、１６…光学フィルタ、３０，７４…光源、３２，５８…導光部材、３４…指標、３６…制御部、３８，７６…赤外センサ、４０，７８…外光センサ、４４…レンズ側制御部、６２…カメラ側無線通信装置、６４…レンズ側無線通信装置。
【図１】
2011099943.tif 000003
【図２】
2011099943.tif 000004
【図３】
2011099943.tif 000005
【図４】
2011099943.tif 000006
【図５】
2011099943.tif 000007
【図６】
2011099943.tif 000008
【図７】
2011099943.tif 000009